(57)【要約】【課題】  従来の家庭におけるシュウマイの包み方は、器用さが必要であったり、また包みあん器は手間と余計な神経とがかかり能率も悪く充分な作業台の広さも必要で使用者の姿勢も不自由という問題があった。これは不器用な人もいれば、包みあん器は全ての側面を同時にたてることが困難で中央に倒れ込むことも合ったり片手での操作が困難で、作業台に置いて使用するためである。【解決手段】  底を一端に設け、もう一端の側面を縦方向に複数にわけた筒状のものに、その縦方向に複数にわけられた側面が底を中心に放射線状に開いたり、元の筒状に閉じたりするような機能を設けたものと、前記筒状のものの側面に接する内側のリングをその筒状のものに通し構成し、また底にとってを設けた。これにより一度の動作でシュウマイの皮をあんを包む形で筒状の型におさめることができ簡単に柱状のシュウマイを形作るシュウマイ形成機を提供できると共に片手での操作も可能で作業台に広さを必要とせず自由な姿勢で作業ができる。【選択図】図３
2007236879.tif 000002
【特許請求の範囲】
【請求項１】
底を一端に設け、もう一端の側面を縦方向に複数にわけた筒状のものに、その縦方向に複数にわけられた側面が底を中心に放射線状に開いたり、元の筒状に閉じたりするような機能を設けたものと、前記筒状のものの側面に接する内側のリングをその筒状のものに通したシュウマイ形成機。
【請求項２】
請求項１記載の底の外側に、とってを設けたシュウマイ形成機。
【発明の詳細な説明】
【技術分野】
【０００１】  本発明は、一般家庭においてシュウマイを作るさいに簡単に形の整った柱状にできるようにサポートするものに関する
【背景技術】
【０００２】  従来の一般家庭におけるシュウマイの包み方は、手だけを使って、または、手とへらだけを使って行う方法がある。（たとえば、非特許文献１参照。）。
また、多角形の底部と底部の各辺を一辺とする四角形の側面、側面の上方の一辺を底辺とする上面とからなり、各接合部は、折れ曲がる仕組みの包みあん器がある。（例えば、特許文献１参照。）。【０００３】  以下、従来の一般家庭におけるシュウマイの包み方について説明する。親指と人さし指で輪をつくってシューマイの皮をのせ、あん適量をへらなどで押し込むようにして包み、台において形を整える。【０００４】  図８により従来のシュウマイ形成機について説明する。この包みあん器は、軟質合成樹脂のような材料で一体形成した、底部８と、底部の各辺を一辺とする四角形の側面９、側面の上底を一辺とする上面１０とからなり、各面接合部１１は、各面に比して薄く、この部分から折れ曲がる仕組みとなっている。また、包みあん器を作業台などに置いた際、側面の下に指が入り易くするため、側面９の外側に側面を浮かせる効果を持つ突起１２が設けてある。また、各側面が垂直に立った際、各隣り合った側面との間にすき間が開くようになっているので、余った皮がここから外に出ることにより、きれいに成形することができる。また、底部８を、五角形、六角形など多角形にし、その各辺にそれぞれ側面９、上面１０を設けてもよい。
【非特許文献１】  「ＮＨＫきょうの料理きょう・すぐ・レシピ▲１７▼ギョーザ・シューマイ・春巻き３６ページ肉シューマイ３」，ＮＨＫ出版，ｐ３６
【特許文献１】  特開平１１−１３７２２９
【発明の開示】
【発明が解決しようとする課題】
【０００５】  以上に述べた従来の一般家庭におけるシュウマイの包み方は、個人個人の手先の器用さに形の整った柱状のものになるかどうか左右され、必ず形の整った柱状のものを作ることは困難であったり、従来のシュウマイ形成機を使用する場合、包みあん器のすべての側面９を同時にたてることは困難で、側面の数だけ手間がかかり、そして、少なくとも最初にたち上げる側面は、垂直よりも中央に倒れ込むこともあり、神経を使い、また、片手での操作が困難で、操作に両手を必要とし、包みあん器に皮をのせ、その皮にあんをのせる作業とそれを包む作業が、右手と左手で分業が出来なく能率が悪く、また、作業台にスペースが必要で、そして、包みあん器を作業台に置くことにより、使用者の目と手元の距離が不自由で使用者の包み易い姿勢で作業が出来ない。【０００６】  本発明は、このような従来の形成方法が有していた問題を解決しようとするものであり個人個人の手先の器用さに左右されることなく、手間をかけず、余計な神経を使わず、能率よく、シュウマイ形成機の操作のための作業台のスペースも不要な、使用者の包み易い姿勢で簡単に形の整った柱状のシュウマイを形成可能なことを目的とするものである。
【課題を解決するための手段】
【０００７】  そして本発明は、上記目的を達成するために、底を一端に設け、もう一端の側面を縦方向に複数にわけた筒状のものに、その縦方向に複数にわけられた側面が底を中心に放射線状に開いたり、元の筒状に閉じたりするような機能を設けたものと、前記筒状のものの側面に接する内側のリングをその筒状のものに通したものである。【０００８】  また、第２の解決手段は、前記筒状の底の外側に、とってを設けたものである。【０００９】  上記第１の解決手段による作用は次の通りである。すなわち、底を一端に設け、もう一端の側面を縦方向に複数にわけた筒状のものに、その縦方向に複数にわけられた側面が底を中心に放射線状に開いたり、元の筒状に閉じたりするような機能を設けたものと、前記筒状のものの側面に接する内側のリングをその筒状のものに通したもにおいて、縦方向に複数にわけられた側面を開いた状態にし、リングを開いた側面の下部で待機させ、開いた側面の上面の中央にシュウマイの皮をのせその中央にあんをのせ、リングを上方にスライドさせる一度の動作で開いた状態の側面のすべてが同時に元の筒状に閉じることができる。また、側面が同時に閉じれば隣り合う側面の辺の部分が接しあい中央に倒れ込むことをなくすことができる。そして、シュウマイの皮は、あんを包む形で筒状の型におさめられ、再びリングをスライドさせる前の状態まで戻し、側面を開き柱状のあんを包んだシュウマイの皮を取り出す。【００１０】  また、第２の課題解決手段による作用は、前記筒状の底の外側に、とってを設けることで手の部分を底に固定することができるため、片手での操作が可能で、本シュウマイ形成機に皮をのせ、その皮にあんをのせる作業とそれを包む作業が右手と左手で分業ができる。また、作業台に本シュウマイ形成機を操作するためのスペースを必要とせず、使用者の目と手元の距離が自由で使用者の包み易い姿勢で作業ができる。
【発明の効果】
【００１１】  上述したように本発明のシュウマイ形成機は、家庭でシュウマイを作る際に個人個人の手先の器用さに左右されることなく、一度の動作でシュウマイ形成機にのせられたシュウマイの皮であんを包むことができると共に側面が中央に倒れ込むことなく、簡単に形の整った柱状のシュウマイを形成可能なからくりを提供できる。【００１２】  また片手での操作が可能なため作業が右手と左手で分業でき、更に作業台に本シュウマイ形成機を操作するためのスペースを必要とせず使用者の包み易い姿勢で作業ができる。
【発明の実施するための最良の形態】
【００１３】  以下、本発明の実施の形態を図１〜図７に基づいて説明する。
【００１４】  図においては、１，２，３，４は、シュウマイ形成機で、筒の一端をふさいだ底２に取り付けたとって３、縦方向に複数にわけられたもう一端の側面１、筒の側面に接する内側のリング４となっている。図１は、リング４を通していない状態のものとなっている。図２は、リング４を通していない状態で側面１を底を中心に放射線状に押し開いた状態のものとなっている。図３は、側面１を底を中心に放射線状に押し開いた状態でリング４を押し開いた側面１の下部まで通したものとなっている。図４は、側面１を底を中心に放射線状に押し開いた状態でリング４を押し開いた側面１の下部まで通した状態から、リング４を上方にスライドさせ側面１が元の筒状に閉じた状態のものとなっている。
【００１５】  以下、上記構成の動作を説明する。図３において縦方向に複数にわけられた一端の側面１を底を中心に放射線状に押し開き筒の側面に接する内側のリング４を筒の押し開かれた側面１の下部まで通す。図５においてとって３に手の部分を固定する、このとき作業台に本シュウマイ形成機を操作するためのスペースを必要とせず、また、使用者の包み易い姿勢で作業ができる。そして縦方向に複数にわけられた側面１の底を中心に放射線状に押し開かれた面の上部にシュウマイの皮５をのせその中央にあん６をのせる。図６において、リング４を上方にスライドさせることによる一度の動作で複数にわけられ底を中心に放射線状に押し開かれた筒の全ての側面１が同時に元の筒状に押し寄せられ閉じた状態となる。このとき隣り合う側面１の辺の部分が接し合い中央に側面１が倒れ込むことをなくすことができる。同時にそこにのせられているシュウマイの皮５もあん６を包むように周りから押し寄せられあん６を包んだ状態のシュウマイの皮５が筒の型におさめられることになる。またこの操作は、片手で可能なため右手と左手の分業ができる。図７においてリング４を再びスライドさせる前の状態まで戻し再び複数にわけられた側面１を底を中心に放射線状に押し開き、柱状のあん６を包んだ状態のシュウマイの皮５を取り出す。
【００１６】  以上のように、本実施形態によれば個人個人の手先の器用さに左右されることなく、手間をかけず、余計な神経を使わず、能率よく、シュウマイ形成機の操作のための作業台のスペースも不要な、使用者の包み易い姿勢で簡単に形の整った柱状のシュウマイが形成可能なのである。
【図面の簡単な説明】
【００１７】
【図１】本発明の実施形態を示すシュウマイ形成機を斜うえから見た図。
【図２】斜うえから見た同シュウマイ形成機の一端の縦方向に複数にわけられた側面を底を中心に放射線状に押し開いた図。
【図３】縦方向に複数にわけられた一端の側面を底を中心に放射線状に押し開き筒の側面に接する内側のリングを円筒の押し開かれた側面の下部まで通した同シュウマイ形成機を斜うえから見た図。
【図４】筒の側面に接する内側のリングを上方にスライドさせた同シュウマイ形成機を斜うえから見た図。
【図５】とってに手の部分を固定し、縦方向に複数にわけられた側面の底を中心に放射線状に押し開かれた面の上部にシュウマイの皮をのせその中央にあんをのせた同シュウマイ形成機を斜うえから見た図。
【図６】リングを上方にスライドさせ複数にわけられ底を中心に放射線状に押し開かれた筒の側面が元の筒状に押し寄せられ閉じた状態となり同時にそこにのせられているシュウマイの皮もあんを包むように筒状に周りから押し寄せられあんを包んだ状態のシュウマイの皮が筒の型となった同シュウマイ形成機におさめられている図。
【図７】リングを図６の状態から再びスライドさせる前の状態まで戻し再び複数にわけられた側面を底を中心に放射線状に押し開き、あんを包んだ状態のシュウマイの皮を同シュウマイ形成機から取り出す図。
【図８】従来のシュウマイ形成機の包みあん器の図。
【符号の説明】
【００１８】  １  縦方向に複数にわけられた筒の一端の側面
２  筒の一端をふさいだ底
３  ２の外側に設けたとって
４  筒の側面に接する内側のリング
５  シュウマイの皮
６  シュウマイのあん
７  手の部分
８  従来のシュウマイ形成磯の包みあん器の底部
９  従来のシュウマイ形成機の包みあん器の側面
１０  従来のシュウマイ形成機の包みあん器の上面
１１  従来のシュウマイ形成機の包みあん器の接合部
１２  従来のシュウマイ形成機の包みあん器の突起
【図１】
2007236879.tif 000003
【図２】
2007236879.tif 000004
【図３】
2007236879.tif 000005
【図４】
2007236879.tif 000006
【図５】
2007236879.tif 000007
【図６】
2007236879.tif 000008
【図７】
2007236879.tif 000009
【図８】
2007236879.tif 000010